(57)【要約】【課題】折り紙を探しやすく、また、眺めて楽しむことができる折り紙ファイルを提供する。【解決手段】折り紙ファイル１は、表表紙１１、背表紙１２および裏表紙１３を構成する表紙体１０と、透明または半透明であって、背表紙１２に取り付けられ、折り紙２を収納可能な複数枚の収納ポケット２０とを備える。収納ポケット２０は、収納部分の横の長さをＸ、縦の長さをＹとして、０．９≦Ｘ／Ｙ≦１．１である。また、表表紙１１および裏表紙１３の少なくとも一方は、上下に並ぶ２つの貫通穴１５を有する構成とすることができる。【選択図】図１
2020128017.tif 000002
【特許請求の範囲】
【請求項１】
表表紙、背表紙および裏表紙を構成する表紙体と、
透明または半透明であって、前記背表紙に取り付けられ、折り紙を収納可能な複数枚の収納ポケットと、を備え、
前記収納ポケットは、収納部分の横の長さをＸ、縦の長さをＹとして、
０．９≦Ｘ／Ｙ≦１．１
であることを特徴とする折り紙ファイル。
【請求項２】
前記表表紙および前記裏表紙の少なくとも一方は、上下に並ぶ２つの貫通穴を有することを特徴とする請求項１に記載の折り紙ファイル。
【発明の詳細な説明】
【技術分野】
【０００１】
本発明は、複数枚の折り紙を収納可能な折り紙ファイルに関する。
【背景技術】
【０００２】
従来、複数枚の折り紙を収納可能な部材として箱状の折り紙ケースが知られている（非特許文献１，２）。
【先行技術文献】
【非特許文献】
【０００３】
【非特許文献１】“［アスクル］クツワ  おりがみケースセット  ＰＴ０７２  ２個  （直送品）  通販  −  ＡＳＫＵＬ（公式）”，［online］，［平成３１年１月１１日検索］，インターネット＜URL：https://www.askul.co.jp/p/A072390/＞
【非特許文献２】“ニッパン・オンラインカタログ  −  Ｊ９９９７ｂｒおりがみケース  Ｃ”，［online］，［平成３１年１月１１日検索］，インターネット＜URL：https://www.msos.jp/products/detail/12989＞
【発明の概要】
【発明が解決しようとする課題】
【０００４】
ところで、従来の折り紙ケースは、すべての折り紙をまとめて収納することしかできなかったため、所望の色や絵柄の折り紙を探しにくかった。また、コレクションした折り紙の絵柄などを眺めて楽しむことはできなかった。
【０００５】
そこで、本発明は、折り紙を探しやすく、また、眺めて楽しむことができる折り紙ファイルを提供することを目的とする。
【課題を解決するための手段】
【０００６】
前記した目的を達成するため、本発明の折り紙ファイルは、表表紙、背表紙および裏表紙を構成する表紙体と、透明または半透明であって、前記背表紙に取り付けられ、折り紙を収納可能な複数枚の収納ポケットと、を備え、前記収納ポケットは、収納部分の横の長さをＸ、縦の長さをＹとして、０．９≦Ｘ／Ｙ≦１．１であることを特徴とする。
【０００７】
このような構成によれば、収納した折り紙を収納ポケットごとに確認することができるので、所望の色や絵柄の折り紙を探しやすい。また、収納ポケットごとに折り紙の絵柄などを眺めて楽しむことができる。
【０００８】
前記した折り紙ファイルにおいて、前記表表紙および前記裏表紙の少なくとも一方は、上下に並ぶ２つの貫通穴を有する構成とすることができる。
【０００９】
これによれば、２つの貫通穴に紐やリボンなどを通して結ぶことで、折り紙ファイルを装飾してアレンジすることができる。また、２つの貫通穴に通した紐やリボンなどで表表紙と裏表紙とを閉じた状態に留めておくことができるので、表紙体が不意に開くのを抑えたり、収納ポケットに収納された折り紙が落下するのを防止したりすることができる。
【発明の効果】
【００１０】
本発明によれば、折り紙を探しやすく、また、眺めて楽しむことができる。
【図面の簡単な説明】
【００１１】
【図１】実施形態に係る折り紙ファイルの斜視図である。
【図２】折り紙ファイルの表紙体を開いた状態の平面図である。
【図３】折り紙ファイルの背表紙付近を拡大して示す斜視図であり、少数の折り紙を収納した状態の図（ａ）と、多数の折り紙を収納した状態の図（ｂ）である。
【図４】裏表紙の貫通穴にリボンを通す様子を示す図（ａ）と、リボンを表表紙側で結んだ状態を示す図（ｂ）である。
【図５】変形例に係る折り紙ファイルの表紙体を開いた状態の平面図である。
【発明を実施するための形態】
【００１２】
次に、発明の一実施形態について、適宜図面を参照しながら詳細に説明する。
図１に示すように、折り紙ファイル１は、表紙体１０と、複数枚の収納ポケット２０とを備えて構成されている。
【００１３】
表紙体１０は、収納ポケット２０や、収納ポケット２０に収納された折り紙２を保護する部材である。表紙体１０は、樹脂からなるシート状の部材を略Ｕ字形状に開閉可能に折り曲げることで形成されており、折り紙ファイル１の表表紙１１、背表紙１２および裏表紙１３を構成している。
【００１４】
収納ポケット２０は、折り紙２を収納可能な四角形の袋状の部材である。本字実施形態において、収納ポケット２０は、上端２０Ａが開口しており、折り紙２を上下に出し入れすることができるようになっている。収納ポケット２０の数は、例えば、１２である。１つの収納ポケット２０には、折り紙２を複数枚、例えば、１２〜１３枚収納可能である。
【００１５】
図２に示すように、収納ポケット２０は、収納された折り紙２の絵柄などが外から見えるように全体が透明または半透明であって、樹脂製のフィルムからなる。なお、収納ポケット２０には、紙や不織布などは固定されていない。すなわち、例えば、収納ポケット２０は、紙や不織布などの一方の面に透明または半透明の樹脂フィルムを貼り付けるなどして収納部分を形成したものではない。紙や不織布などが固定されていると、折り紙２の絵柄などが一方側からしか見えないし、特に不織布が固定されていると、折り紙２が繊維と引っ掛かって出し入れしにくくなるためである。
【００１６】
収納ポケット２０の素材としては、例えば、ポリエチレンテレフタラート（ＰＥＴ）、ポリプロピレン（ＰＰ）、ビニールなどを採用することができる。特に収納ポケット２０の素材としてＰＥＴを採用することで、収納ポケット２０に折り紙２を長期間入れておいても、折り紙２に印刷された絵柄のインクが収納ポケット２０に移るのを抑制することができる。
【００１７】
樹脂製のフィルムの厚さは、厚すぎると折り紙２を出し入れしにくいため、望ましくは、０．２ｍｍ以下であり、より望ましくは、０．１ｍｍ以下である。また、樹脂製のフィルムの厚さは、コスト面などを考慮すると、望ましくは０．０５ｍｍ以下であり、より望ましくは０．０３ｍｍ以下である。
【００１８】
収納ポケット２０は、表紙体１０を閉じた状態における表表紙１１と裏表紙１３との間に配置され（図３（ａ）参照）、背表紙１２に取り付けられている。詳しくは、収納ポケット２０は、溶着や接着などの方法により背表紙１２の内面に固着されている。本実施形態において、折り紙ファイル１は、２つの収納ポケット２０を構成する、上端２１Ａが開口した左右に長い矩形状の袋状部材２１を６つ重ね、当該６つの袋状部材２１の左右中央（固着部２１Ｂ）を、背表紙１２の内面に溶着して固着することにより１２の収納ポケット２０が形成されている。
【００１９】
本実施形態において、表紙体１０は、収納ポケット２０に収納された折り紙２の絵柄や形などが外から見えるように透明または半透明である。このため、例えば、１つ目の収納ポケット２０にお気に入りの絵柄の折り紙２や、折り紙２を折って作った作品などを収納することで、表紙体１０を閉じた場合でも、表表紙１１を通してこれらを外から見えるようにすることができる（図４（ｂ）参照）。
【００２０】
図３（ａ）に示すように、表表紙１１および裏表紙１３は、それぞれ複数の溝１４を有している。溝１４は、左右方向において表表紙１１および裏表紙１３の背表紙１２に近い方の端部の外側の面に設けられ、背表紙１２に沿って上下に延びている。本実施形態において、溝１４は、表表紙１１および裏表紙１３のそれぞれに左右に並んで３つ設けられている。
【００２１】
図３（ｂ）に示すように、表表紙１１および裏表紙１３は、各収納ポケット２０に多数の折り紙２や折り紙２を折って作った作品などが収納されて、収納物を含むすべての収納ポケット２０の左右の幅が厚くなった場合に閉じると、溝１４の位置で折れ曲がることができるようになっている。これにより、収納ポケット２０により多くの折り紙２などを収納することができる。
【００２２】
図４（ａ）に示すように、裏表紙１３は、２つの貫通穴１５を有している。２つの貫通穴１５は、左右方向において裏表紙１３の背表紙１２から遠い方の端部に設けられ、上下に並んでいる。貫通穴１５は、左右に長い長円形状の長穴であり、裏表紙１３の上端部と下端部に１つずつ設けられている。詳しくは、上側の貫通穴１５は、裏表紙１３の上下中央よりも裏表紙１３の上端に近い位置に設けられており、下側の貫通穴１５は、裏表紙１３の上下中央よりも裏表紙１３の下端に近い位置に設けられている。
【００２３】
このような２つの貫通穴１５を有することで、例えば、２つの貫通穴１５にリボン３や紐などを通し、図４（ｂ）に示すように、表表紙１１側で結ぶことで、折り紙ファイル１を装飾してアレンジすることができる。また、２つの貫通穴１５に通したリボン３や紐などで表表紙１１と裏表紙１３とを閉じた状態に留めておくことができるので、表紙体１０が不意に開くのを抑えたり、収納ポケット２０に収納された折り紙２が落下するのを防止したりすることができる。
【００２４】
図２に示すように、各収納ポケット２０は、折り紙２が収納される収納部分の横の長さをＸ、縦の長さをＹとして、０．９≦Ｘ／Ｙ≦１．１である。望ましくは、０．９４≦Ｘ／Ｙ≦１．０７であり、より望ましくは、０．９５≦Ｘ／Ｙ≦１．０６であり、さらに望ましくは、０．９６≦Ｘ／Ｙ≦１．０５である。なお、収納部分の長さ（Ｘ，Ｙの寸法）は、折り紙２が入る収納スペースの長さをいうものとし、特に収納ポケット２０の開口がある辺と直交する方向の長さについては、開口から収納スペースの底までの長さをいうものとする。例えば、本実施形態においては、収納部分の縦の長さＹが、開口から収納スペースの底までの長さである。
【００２５】
本実施形態において、収納ポケット２０に収納できる折り紙２のサイズ（最大サイズ）は、例えば、１５０ｍｍ×１５０ｍｍである。この場合、収納ポケット２０の収納部分の横の長さＸは、望ましくは、１５７〜１６７ｍｍであり、より望ましくは、１５９〜１６５ｍｍであり、さらに望ましくは、１６１〜１６３ｍｍである。また、縦の長さＹは、望ましくは、１５１〜１６０ｍｍであり、より望ましくは、１５２〜１５８ｍｍであり、さらに望ましくは、１５４〜１５６ｍｍである。本実施形態において、収納ポケット２０は、一例として、横の長さＸが１６２ｍｍであり、縦の長さＹが１５５ｍｍである。
【００２６】
以上説明した折り紙ファイル１によれば、複数枚の収納ポケット２０を備えることで、収納した折り紙２を収納ポケット２０ごとに確認することができるため、所望の色や絵柄の折り紙２を探しやすい。また、収納ポケット２０ごとに折り紙２の絵柄などを眺めて楽しむことができる。また、透明または半透明の収納ポケット２０に折り図を収納しておくことで、折り図をいちいち取り出すことなく、収納ポケット２０に収納した状態で当該折り図を見ながら、折り紙２を折って作品を作ることができる。
【００２７】
以上に発明の一実施形態について説明したが、本発明は前記実施形態に限定されるものではない。具体的な構成については発明の趣旨を逸脱しない範囲で適宜変更が可能である。
【００２８】
例えば、前記実施形態では、収納ポケット２０は、上端２０Ａが開口していて、折り紙２を上下に出し入れ可能であったが、図５に示すように、収納ポケット２０は、左右方向における背表紙１２側の端２０Ｂが開口しており、折り紙２を左右に出し入れすることができるようになっていてもよい。これによれば、表紙体１０を閉じることで、収納ポケット２０に収納された折り紙２が落下するのを防止することができる。なお、この場合には、収納部分の横の長さは、開口から収納スペースの底（収納スペースの開口と反対側の辺）までの長さである。
【００２９】
また、前記実施形態では、収納ポケット２０の数として１２を例示したが、収納ポケットの数は、任意である。例えば、収納ポケットの数は、２０などであってもよい。
【００３０】
また、前記実施形態では、収納ポケット２０が背表紙１２に固着されていたが、収納ポケットは、公知の機構により背表紙に対して着脱自在であってもよい。収納ポケットが着脱自在である場合には、必要に応じて収納ポケットの数を増やしたり、減らしたりすることができる。
【００３１】
また、前記実施形態では、１枚の収納ポケット２０に折り紙２の収納部分が１つだけ設けられていたが、１枚の収納ポケットに収納部分が複数設けられていてもよい。例えば、１枚の収納ポケットに、収納部分が上下または左右に並んで２つ設けられていてもよいし、収納部分が上側に左右に並んで２つ、下側に左右に並んで２つの合計４つ設けられていてもよい。
【００３２】
また、前記実施形態では、収納ポケット２０に収納可能な折り紙２の最大サイズが１５０ｍｍ×１５０ｍｍであったが、収納可能な折り紙の最大サイズは、任意である。この場合、収納ポケットの収納部分の縦横の具体的な長さは、折り紙のサイズに応じて設定することができる。
【００３３】
また、前記実施形態では、折り紙ファイル１は、裏表紙１３が２つの貫通穴１５を有していたが、裏表紙１３ではなく、表表紙１１が２つの貫通穴を有していてもよい。また、表表紙１１および裏表紙１３の両方が２つの貫通穴を有していてもよい。また、貫通穴の形状は、長円形状ではなく、円形状や楕円形状などであってもよい。また、折り紙ファイル１は、貫通穴１５が設けられていないものであってもよい。
【００３４】
また、前記実施形態では、表紙体１０の全体が透明または半透明であったが、表紙体は、背表紙以外の、表表紙と裏表紙が透明または半透明であってもよい。また、表紙体は、表表紙と裏表紙の一方、例えば、表表紙だけが透明または半透明であってもよい。また、表紙体は、全体が不透明であってもよい。
【００３５】
また、前記した実施形態および変形例で説明した各要素は、適宜組み合わせて実施することが可能である。
【符号の説明】
【００３６】
１      折り紙ファイル
２      折り紙
１０    表紙体
１１    表表紙
１２    背表紙
１３    裏表紙
１５    貫通穴
２０    収納ポケット
【図１】
2020128017.tif 000003
【図２】
2020128017.tif 000004
【図３】
2020128017.tif 000005
【図４】
2020128017.tif 000006
【図５】
2020128017.tif 000007